(57)【要約】【課題】内部動作に関する設定変更が不正に行われることを防止する。【解決手段】内部動作に関する設定変更を行うための設定キースイッチ及び設定スイッチと、前記設定キースイッチが設定可能状態にされ、かつ、前記設定スイッチが操作されたときに予め定められた手順に従い設定変更を行う制御部とを備える遊技機において、前記設定キースイッチが設定可能状態にされ、かつ、前記設定スイッチが操作されたとき、予め定められたハードキースイッチを確認し、その状態が前回の設定変更時に保存された状態と一致するときに予め定められた手順に従い設定変更を行うとともに、今回のハードキースイッチの状態を保存し、両者が一致しなかったとき、設定変更を行わずにエラー報知を行う。【選択図】        図５
2004201796.tif 000002
【特許請求の範囲】
【請求項１】
内部動作に関する設定変更を行うための設定キースイッチ及び設定スイッチと、前記設定キースイッチが設定可能状態にされ、かつ、前記設定スイッチが操作されたときに予め定められた手順に従い設定変更を行う制御部とを備える遊技機であって、
前記制御部は、
前記設定キースイッチが設定可能状態にされ、かつ、前記設定スイッチが操作されたとき、予め定められたハードキースイッチを確認し、その状態が前回の設定変更時に保存された状態と一致するときに予め定められた手順に従い設定変更を行うとともに、今回のハードキースイッチの状態を保存し、両者が一致しなかったとき、設定変更を行わずにエラー報知を行うことを特徴とする遊技機。
【請求項２】
前記ハードキースイッチは、既設のスイッチであって使用頻度の低いものであることを特徴とする請求項１記載の遊技機。
【請求項３】
前記ハードキースイッチは、遊技のスタートスイッチ及び複数のストップスイッチの全部又は一部であることを特徴とする請求項１記載の遊技機。
【請求項４】
内部動作に関する設定変更を行うための設定キースイッチ及び設定スイッチと、前記設定キースイッチが設定可能状態にされ、かつ、前記設定スイッチが操作されたときに予め定められた手順に従い設定変更を行う制御部とを備える遊技機であって、
前記制御部は、
前記設定キースイッチが設定可能状態にされ、かつ、前記設定スイッチが操作されたとき、パスワードの入力を要求し、入力されたパスワードが正しいときに予め定められた手順に従い設定変更を行い、パスワードが正しくなかったとき、設定変更を行わずにエラー報知を行うことを特徴とする遊技機。
【請求項５】
前記パスワードは、既設のスイッチであって使用頻度の低いものにより入力されることを特徴とする請求項４記載の遊技機。
【請求項６】
前記パスワードは、遊技のスタートスイッチ及び複数のストップスイッチの全部又は一部を所定の順序で操作することにより入力されることを特徴とする請求項４記載の遊技機。
【請求項７】
内部動作に関する設定変更を行うための設定キースイッチ及び設定スイッチと、前記設定キースイッチが設定可能状態にされ、かつ、前記設定スイッチが操作されたときに予め定められた手順に従い設定変更を行う制御部とを備える遊技機における不正行為防止方法であって、
前記設定キースイッチが設定可能状態にされ、かつ、前記設定スイッチが操作されたとき、予め定められたハードキースイッチを確認するステップと、
前記ハードキースイッチの状態が前回の設定変更時に保存された状態と一致するかどうか判定するステップと、
両者が一致したときに予め定められた手順に従い設定変更を行うステップと、
今回のハードキースイッチの状態を保存するステップと、
両者が一致しなかったとき、設定変更を行わずにエラー報知を行うステップとを備える遊技機における不正行為防止方法。
【請求項８】
内部動作に関する設定変更を行うための設定キースイッチ及び設定スイッチと、前記設定キースイッチが設定可能状態にされ、かつ、前記設定スイッチが操作されたときに予め定められた手順に従い設定変更を行う制御部とを備える遊技機における不正行為防止方法であって、
前記設定キースイッチが設定可能状態にされ、かつ、前記設定スイッチが操作されたとき、パスワードの入力を要求するステップと、
入力されたパスワードが正しいときに予め定められた手順に従い設定変更を行うステップと、
パスワードが正しくなかったとき、設定変更を行わずにエラー報知を行うステップとを備える遊技機における不正行為防止方法。
【請求項９】
内部動作に関する設定変更を行うための設定キースイッチ及び設定スイッチと、前記設定キースイッチが設定可能状態にされ、かつ、前記設定スイッチが操作されたときに予め定められた手順に従い設定変更を行う制御部とを備える遊技機の制御プログラムであって、
前記設定キースイッチが設定可能状態にされ、かつ、前記設定スイッチが操作されたとき、予め定められたハードキースイッチを確認するステップと、
前記ハードキースイッチの状態が前回の設定変更時に保存された状態と一致するかどうか判定するステップと、
両者が一致したときに予め定められた手順に従い設定変更を行うステップと、
今回のハードキースイッチの状態を保存するステップと、
両者が一致しなかったとき、設定変更を行わずにエラー報知を行うステップとを、前記制御部のコンピュータに実行させるためのプログラム。
【請求項１０】
内部動作に関する設定変更を行うための設定キースイッチ及び設定スイッチと、前記設定キースイッチが設定可能状態にされ、かつ、前記設定スイッチが操作されたときに予め定められた手順に従い設定変更を行う制御部とを備える遊技機の制御プログラムであって、
前記設定キースイッチが設定可能状態にされ、かつ、前記設定スイッチが操作されたとき、パスワードの入力を要求するステップと、
入力されたパスワードが正しいときに予め定められた手順に従い設定変更を行うステップと、
パスワードが正しくなかったとき、設定変更を行わずにエラー報知を行うステップとを、前記制御部のコンピュータに実行させるためのプログラム。
【発明の詳細な説明】
【０００１】
【発明の属する技術分野】
この発明は、スロットマシン等の遊技機及び遊技機における不正行為防止方法並びにプログラムに関する。
【０００２】
【従来の技術】
スロットマシン等の遊技機は、遊技者が所定の枚数のメダルを遊技機に投入してゲームを楽しむことができる。遊技に必要なメダルは、遊技ホール内に設けられたメダル貸機等で借りることができ、所望の遊技機のメダル投入口に投入することによりゲームを開始することができる。
【０００３】
遊技機は、基本的に絵柄が揃ったときにメダルを払い出すものであるが、絵柄が揃うかどうかは内部のコンピュータによる抽選の結果に従う。また、ビッグボーナス、レギュラーボーナス、小役などのさまざまな賞も内部のコンピュータによる抽選の結果に従う。抽選の処理は所定の範囲内で設定可能であり、遊技機が設置されるホールなどにおいて店側により設定作業が行われる。設定変更は、遊技機の扉を開け、電源部に設けられた設定キースイッチをオンにし、設定変更スイッチを押す等の所定の操作を行う、などの手順により行われた。
【０００４】
【発明が解決しようとする課題】
遊技者のごく一部に不正行為（いわゆるゴト行為）を行う者がいた。例えば、設定操作を不正に行うことにより、遊技機の設定を自己に有利なものに不正に変更する者がいた。遊技機の扉には鍵が設けられて容易に開閉できないようになっているとともに、設定キースイッチの操作のためにも鍵が必要であるが、不正行為を行う者は扉に穴を開け、設定キースイッチの配線に工作を加えることにより、不正設定を行っているようである。
【０００５】
このように、従来の遊技機において鍵という機構面以外のセキュリティ対策がなかった。予め定められた設定変更の手順を知っている者であれば、不正設定を行うことができてしまった。
【０００６】
この発明は、係る不正行為を店側の意思によって未然に防ぐことを可能にする遊技機及び遊技機における不正行為防止方法並びにプログラムを提供することを目的とする。
【０００７】
【課題を解決するための手段】
この発明は、内部動作に関する設定変更を行うための設定キースイッチ及び設定スイッチと、前記設定キースイッチが設定可能状態にされ、かつ、前記設定スイッチが操作されたときに予め定められた手順に従い設定変更を行う制御部とを備える遊技機であって、
前記制御部は、
前記設定キースイッチが設定可能状態にされ、かつ、前記設定スイッチが操作されたとき、予め定められたハードキースイッチを確認し、その状態が前回の設定変更時に保存された状態と一致するときに予め定められた手順に従い設定変更を行うとともに、今回のハードキースイッチの状態を保存し、両者が一致しなかったとき、設定変更を行わずにエラー報知を行うものである。
【０００８】
前記ハードキースイッチは、既設のスイッチであって使用頻度の低いもの（例えば打ち止め有無スイッチやエラー解除ボタン）を用いることができる。
【０００９】
前記ハードキースイッチは、遊技のスタートスイッチ及び複数のストップスイッチの全部又は一部を用いるようにしてもよい。
【００１０】
この発明は、内部動作に関する設定変更を行うための設定キースイッチ及び設定スイッチと、前記設定キースイッチが設定可能状態にされ、かつ、前記設定スイッチが操作されたときに予め定められた手順に従い設定変更を行う制御部とを備える遊技機であって、
前記制御部は、
前記設定キースイッチが設定可能状態にされ、かつ、前記設定スイッチが操作されたとき、パスワードの入力を要求し、入力されたパスワードが正しいときに予め定められた手順に従い設定変更を行い、パスワードが正しくなかったとき、設定変更を行わずにエラー報知を行うものである。
【００１１】
前記パスワードは、既設のスイッチであって使用頻度の低いもの（例えば打ち止め有無スイッチやエラー解除ボタン）を用いることができる。
【００１２】
前記パスワードは、遊技のスタートスイッチ及び複数のストップスイッチの全部又は一部を所定の順序で操作することにより入力されるようにしてもよい。
【００１３】
この発明は、内部動作に関する設定変更を行うための設定キースイッチ及び設定スイッチと、前記設定キースイッチが設定可能状態にされ、かつ、前記設定スイッチが操作されたときに予め定められた手順に従い設定変更を行う制御部とを備える遊技機における不正行為防止方法であって、
前記設定キースイッチが設定可能状態にされ、かつ、前記設定スイッチが操作されたとき、予め定められたハードキースイッチを確認するステップと、
前記ハードキースイッチの状態が前回の設定変更時に保存された状態と一致するかどうか判定するステップと、
両者が一致したときに予め定められた手順に従い設定変更を行うステップと、
今回のハードキースイッチの状態を保存するステップと、
両者が一致しなかったとき、設定変更を行わずにエラー報知を行うステップとを備えるものである。
【００１４】
この発明は、内部動作に関する設定変更を行うための設定キースイッチ及び設定スイッチと、前記設定キースイッチが設定可能状態にされ、かつ、前記設定スイッチが操作されたときに予め定められた手順に従い設定変更を行う制御部とを備える遊技機における不正行為防止方法であって、
前記設定キースイッチが設定可能状態にされ、かつ、前記設定スイッチが操作されたとき、パスワードの入力を要求するステップと、
入力されたパスワードが正しいときに予め定められた手順に従い設定変更を行うステップと、
パスワードが正しくなかったとき、設定変更を行わずにエラー報知を行うステップとを備えるものである。
【００１５】
この発明は、内部動作に関する設定変更を行うための設定キースイッチ及び設定スイッチと、前記設定キースイッチが設定可能状態にされ、かつ、前記設定スイッチが操作されたときに予め定められた手順に従い設定変更を行う制御部とを備える遊技機の制御プログラムであって、
前記設定キースイッチが設定可能状態にされ、かつ、前記設定スイッチが操作されたとき、予め定められたハードキースイッチを確認するステップと、
前記ハードキースイッチの状態が前回の設定変更時に保存された状態と一致するかどうか判定するステップと、
両者が一致したときに予め定められた手順に従い設定変更を行うステップと、
今回のハードキースイッチの状態を保存するステップと、
両者が一致しなかったとき、設定変更を行わずにエラー報知を行うステップとを、前記制御部のコンピュータに実行させるためのプログラムである。
【００１６】
この発明は、内部動作に関する設定変更を行うための設定キースイッチ及び設定スイッチと、前記設定キースイッチが設定可能状態にされ、かつ、前記設定スイッチが操作されたときに予め定められた手順に従い設定変更を行う制御部とを備える遊技機の制御プログラムであって、
前記設定キースイッチが設定可能状態にされ、かつ、前記設定スイッチが操作されたとき、パスワードの入力を要求するステップと、
入力されたパスワードが正しいときに予め定められた手順に従い設定変更を行うステップと、
パスワードが正しくなかったとき、設定変更を行わずにエラー報知を行うステップとを、前記制御部のコンピュータに実行させるためのプログラムである。
【００１７】
この発明に係るプログラムは、例えば、記録媒体に記録される。
媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【００１８】
また、電話回線等の有線通信媒体、マイクロ波回線等の無線通信媒体等の通信媒体を含む。インターネットもここでいう通信媒体に含まれる。
【００１９】
媒体とは、何等かの物理的手段により情報（主にデジタルデータ、プログラム）が記録されているものであって、コンピュータ、専用プロセッサ等の処理装置に所定の機能を行わせることができるものである。
【００２０】
【発明の実施の形態】
発明の実施の形態１．
この発明の実施の形態に係るスロットマシン及びその不正行為の防止方法について図面を参照して説明する。
【００２１】
図１は前扉を閉めた状態を示すスロットマシンの正面図、図２は前扉を１８０度開いた状態を示すスロットマシンの正面図を示す。
【００２２】
図１及び図２中、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２のさらに右側には、メダル投入口１３２から投入され、詰まってしまったメダルをスロットマシン１００外に強制的に排出するためのリジェクトボタン１３３が設けられている。
【００２３】
また、前記ゲーム表示部１３１の左下方には、ゲームを開始するためのスタートボタン１３４を設けてあり、３つのリールのそれぞれに対応して３つのストップボタンを設けてある。前扉の下端部中央には、メダルの払出し口１３５を設けてある。スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。
【００２４】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００２５】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２６】
スロットマシンで遊技を楽しもうとする遊技者は、まずメダル貸機（図示しない）等から遊技媒体であるメダルを借り、メダル投入装置のメダル投入口１３２に直接メダルを入れることができる。スロットマシンの筐体の中央部及び上部には、遊技者側に向かって臨む四角窓状の表示窓が形成されている。そして、この中央部の表示窓の中央には、三個の回転リールの図柄を見ることができる図柄表示窓が形成されている。スタートスイッチ１３４は回転リールの斜め下方に位置するレバーであって、遊技メダルの投入を条件に、リールユニットの駆動を開始させる。リールユニットは、ストップスイッチによりその駆動が停止される。リールユニットは、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００２７】
スロットマシン１００は電源部を備える。図３は電源部２０５のパネルの詳細を示す。図４は発明の実施の形態１のスロットマシンの機能ブロック図を示す。
【００２８】
図３において、電源スイッチ２０５１は電源のオン／オフスイッチであり、電源部パイロットランプ２０５２は電源がオンのとき点灯するランプ（ＬＥＤ）であり、打ち止め有無スイッチ２０５３はメダルの払い出し枚数を制限する打ち止めを「有り」または「無し」に設定するスイッチである。打ち止め有無スイッチ２０５３は通常「無し」に設定されていて、頻繁に使用されることはない。このため、打ち止め有無スイッチ２０５３を前記ハードキーとして利用することができる。前記ハードキーとして新規のスイッチを設けるようにしてもいが、従来の筐体との互換性を考え、本発明の実施の形態に係る不正行為防止方法をソフトウエアの変更のみで実現するためには、既存のスイッチをハードキーとして利用することが好ましい。この場合、使用頻度の少ないスイッチをハードキーとして共用することが考えられる。設定キースイッチ２０５４は設定を有効にするためのスイッチであり、設定変更／リセットスイッチ２０５５は設定変更を有効にしたり、装置をリセットするためのスイッチであり、ＡＣ１００Ｖパイロットランプ２０５６は筐体の電源であるＡＣ１００Ｖが供給されていることを示すランプであり、ＡＣ電源出力及び電源ケーブル２０５７は電源を供給するためのものである。
【００２９】
図４において、２００、２０１はそれぞれＣＰＵを内蔵するメイン基板、サブ基板である。メイン基板２００はメダルの投入、払い出し、リールの制御、当選処理などを行う。サブ基板２０１は演出表示などの処理を行う。２０２はスタートスイッチ１３４やストップスイッチ、ベットスイッチなどのスイッチからなる操作部２０２である。２０３は三個の回転リールからなるリールユニットである。２０４はゲーム表示部１３１やリールの内部照明、液晶表示装置、スピーカなどを含む演出表示部である。演出表示部２０４により当選役や押し順の報知がなされる。２０５は各部に電源を供給する電源部である。電源部２０５には不正行為を防止するためのハードキー（既設のスイッチと共用可能）が設けられている。
【００３０】
次に発明の実施の形態１に係る装置／方法について説明する。本発明の実施の形態１の要点は、設定変更状態（それ以外のタイミングでも可能）のとき、外部スイッチ等のハードキーを確認し、状態変移「ＯＫ」かどうかの確認を行い、判定が「ＮＧ」であればエラーを出し、状態変移を行わないというものである。従来の装置の構成をそのまま利用して実現するには、例えば、打ち止め有無スイッチ２０５３を使用して１ビットのパスワード構造を持たせるようにする。
【００３１】
メイン基板２００のＣＰＵが実行する具体的な手順について、図５のフローチャートを参照して説明する。
【００３２】
（１）正常な設定値変更処理
打ち止め有無スイッチ２０５３をハードキーとして利用しているとき、設定値変更処理を行うに先立ち、操作者は設定キースイッチ２０５４をＯＮにするとともに、打ち止め有無スイッチ２０５３を打ち止め「無し」（通常の状態）から「有り」（設定変更を行うときの状態）の状態に変更する。なお、設定変更をどちらの状態で行うかはホールの管理者の任意である。
【００３３】
Ｓ１：ハードキーを確認する。
当該スイッチ２０５３の現在の状態の情報を取得する。打ち止め有無スイッチ２０５３は打ち止め「有り」になっている。
【００３４】
Ｓ２：前回保存値と同じかどうか判定する。
Ｓ１で取得したハードキーの状態を前回保存されたハードキーの状態と比較する。正常な場合、つまり設定変更を行う正規の権限を有し、正しい手順を知っている者（設定変更を「有り」の状態で行うことを知っている者）が操作した場合、両者は一致する（Ｓ２でＹＥＳ）。
【００３５】
Ｓ３：今回のハードキー値を保存する。
打ち止め有無スイッチ２０５３の状態を保存する。保存されたハードキー値は次回の認証処理において用いられる。打ち止め有無スイッチ２０５３の状態をそのままにしておけば「有り」が保存され、変更しておけば「無し」が保存される。
【００３６】
なお、図５とは別のタイミングでハードキー値を変更するとき、例えば打ち止め有りの状態を打ち止め無しに変更したり、他のスイッチの情報に代えたりあるいは他のスイッチの情報を付加したりするとき、設定変更を行う正規の権限を有する者が所定の手順でハードキー値を変更できるようにしてもよい。例えば設定値変更処理を終了するときにハードキー値を保存するようにすれば、その前にハードキーを変更しておけばよい。
【００３７】
Ｓ４：通常の設定値変更処理を実行する。
設定値変更処理が完了したら、打ち止め有無スイッチ２０５３を通常の状態、上記例では打ち止め「無し」にしておく。
【００３８】
（２）不正な設定値変更処理
不正者は正しい設定値変更処理手順を知らず、しかも前回の設定値変更時におけるハードキーの状態を知らないからハードキーを正しく設定できない。打ち止め有無スイッチ２０５３をハードキーとして利用しているとき、打ち止め有無スイッチ２０５３は「無し」のままである。
【００３９】
Ｓ１：ハードキーを確認する。
当該スイッチ２０５３の現在の状態の情報を取得する。打ち止め有無スイッチ２０５３は打ち止め「無し」になっている。
【００４０】
Ｓ２：前回保存値と同じかどうか判定する。
Ｓ１で取得したハードキーの状態を前回保存されたハードキーの状態と比較する。今回は両者は一致しない（Ｓ２でＮＯ）。
【００４１】
Ｓ３：エラー表示処理を行う。
例えばブザーを吹鳴させるとともに、ランプを点滅させる。この状態はリセットスイッチ２０５５が押されるまで継続する。
【００４２】
以上のように、発明の実施の形態１において、ハードキーを設定変更状態時「ＯＮ」にし、設定値確定後「ＯＦＦ」にする（ＯＮ／ＯＦＦの状態は逆でもよい。要するに両者が一致しなければよい）ことにより、設定値変更処理を行う前にハードキースイッチの状態を知って正当な権限の有る者による操作なのか、それとも不正な操作なのかを判別することができる。例えば、設定変更状態時に打ち止め有無スイッチ２０５３が「無し」であるとエラーであると判定することができる。このような認証手順を経ることにより不正な設定変更を防止することができる。
【００４３】
ハードキーがひとつであっても事情を知らない不正行為者がハードキーを正しい状態に設定できる確率は二分の一であり、不正者にとってリスクが高く、不正行為の意欲を減退させることができる。これはステップＳ３においてハードキーを任意に設定できるためである。
【００４４】
複数のハードキーを用いることにより不正行為をより効果的に防止できる。例えば、３ビット程度のスイッチを用意し、前述と同様の手順で設定変更後に論理を変更するようにしてもよい。
【００４５】
以上の例でハードキー２０５ａを電源部２０５に設けていたが、本発明はこれに限定されない。例えば、操作部２０２のスイッチの一部又は全部をハードキーとして用いることもできる。スタートボタン及び／又はストップボタンの組合わせをパスワード入力部として用いることもできて、例えばスタートボタンと中央のストップボタンを押すことをハードキー入力としてもよい。
【００４６】
発明の実施の形態２．
発明の実施の形態１ではハードキーを用いていた。これに代えてパスワードを用いるようにしてもよい。すなわち、設定値変更状態に移行するために、何らかのパスワード構造を持たせ、パスワード確認時に相違点があれば、不正と判断しエラーを報知する。パスワードとして英数字の組合わせ以外にも、複数のスイッチの操作順序、特定のスイッチの操作履歴を用いることができる。
【００４７】
図６は発明の実施の形態２のスロットマシンの機能ブロック図を示す。図６において電源部２０５はパスワード入力部２０５ｂを備える。
【００４８】
次に発明の実施の形態２に係る装置／方法について説明する。メイン基板２００のＣＰＵが実行する具体的な手順について、図７のフローチャートを参照して説明する。
【００４９】
Ｓ１１：パスワードを入力する。
設定変更しようとする者は所定のパスワードを入力する。
【００５０】
Ｓ１２：パスワードが正しいかどうか判定する。
正常な場合、つまり設定変更を行う正規の権限を有し、正しいパスワードを知っている者が操作した場合、両者は一致する（Ｓ１２でＹＥＳ）。そうでない場合（Ｓ１２でＮＯ）、ステップＳ１４のエラー処理を実行する。
【００５１】
Ｓ１３：通常の設定値変更処理を実行する。
【００５２】
Ｓ１４：エラー表示処理を行う。
例えばブザーを吹鳴させるとともに、ランプを点滅させる。この状態はリセットスイッチ２０５５が押されるまで継続する。
【００５３】
バスワードの具体例を挙げる。
例１）Ｓ１１においてエラー解除ボタンを押しながらでないと設定値変更状態に移行しない。
例２）ソフト上の仮想メモリへ外部操作によりパスワードを予め登録する。Ｓ１１で当該パスワードを入力させ、Ｓ１２のパスワード確認時に相違があれば、エラー表示する。
【００５４】
以上の例で電源部２０５に設けたパスワード入力部２０５ｂを用いていたが、本発明はこれに限定されない。例えば、操作部２０２のスイッチの一部又は全部をパスワード入力部として用いることもできる。スタートボタン及び／又はストップボタンの組合わせをパスワード入力部として用いることもできて、例えばスタートボタンを押した後にストップボタンを右、中央、左の順番で押すこと、あるいはスタートボタンとストップボタンの少なくとも１つを押すことをパスワード入力としてもよい。
【００５５】
本発明は、以上の実施の形態に限定されることなく、特許請求の範囲に記載された発明の範囲内で、種々の変更が可能であり、それらも本発明の範囲内に包含されるものであることは言うまでもない。
【００５６】
【発明の効果】
以上のように、この発明によれば、ハードキー又はパスワードを用いることによる不正な設定値変更を防止できる。
【図面の簡単な説明】
【図１】前扉を閉めた状態を示すスロットマシンの正面図である。
【図２】前扉を１８０度開いた状態を示すスロットマシンの正面図である。
【図３】スロットマシンの電源部のパネルの詳細図である。
【図４】発明の実施の形態１に係るスロットマシンの機能ブロック図を示す。
【図５】発明の実施の形態１に係るスロットマシンの動作フローチャートを示す。
【図６】発明の実施の形態１に係るスロットマシンの機能ブロック図を示す。
【図７】発明の実施の形態１に係るスロットマシンの動作フローチャートを示す。
【符号の説明】
１    メダルセレクタ
１００    スロットマシン
１２０    スロットマシン本体
１２１    ホッパ装置
１２２    ホッパタンク
１３０    前扉
１３１    ゲーム表示部
１３２    メダル投入口
１３３    リジェクトボタン
１３４    スタートボタン
１３５    払出し口
１３６    導出路
２００    メイン基板
２０１    サブ基板
２０２    操作部
２０３    リールユニット
２０４    演出表示部
２０５    電源部
２０５ａ  ハードキー
２０５ｂ  パスワード入力部
２０５１  電源スイッチ
２０５２  電源部パイロットランプ
２０５３  打ち止め有無スイッチ
２０５４  設定キースイッチ
２０５５  設定変更／リセットスイッチ
２０５６  ＡＣ１００Ｖパイロットランプ
２０５７  ＡＣ電源出力及び電源ケーブル
【図１】
2004201796.tif 000003
【図２】
2004201796.tif 000004
【図３】
2004201796.tif 000005
【図４】
2004201796.tif 000006
【図５】
2004201796.tif 000007
【図６】
2004201796.tif 000008
【図７】
2004201796.tif 000009